【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
インターネットプロトコルを用いて、通信セッションの機能を移動ノードに提供する電気通信システムにおいて、
上記移動ノードが、当該第１のパケット無線ネットワークに加入するときに、上記通信セッションを提供するためのインターネットパケットを、該移動ノードに／から通信する第１のパケット無線ネットワークと、
上記移動ノードが、当該第２のパケット無線ネットワークに加入するときに、上記通信セッションを提供するためのインターネットパケットを、該移動ノードに／から通信する第２のパケット無線ネットワークとを備え、
上記移動ノードは、
上記第１及び第２のパケット無線ネットワークの一方から、該第１及び第２のパケット無線ネットワークの他方に加入を変更するときに、他のノードに／から通信される他のインターネットパケットに対する、当該移動ノードに／から通信するインターネットパケットに与えられる要求優先度を表すサービスレベル識別子を生成し、
上記第１及び第２のパケット無線ネットワークの一方から、該第１及び第２のパケット無線ネットワークの他方に加入を変更するときに、当該移動ノードの気付アドレスを提供する対応付け更新インターネットパケットを生成し、
上記サービスレベル識別子の指示を、上記対応付け更新インターネットパケットに含ませ、
上記対応付け更新インターネットパケットを、当該移動ノードのホームエージェントに通信し、
上記ホームエージェントは、
上記対応付け更新に応じて、上記サービスレベル識別子を識別し、
上記サービスレベル識別子によって表される要求優先度に基づいて、上記対応付け更新を処理する優先度を判定することを特徴とする電気通信システム。
【請求項２】
上記ホームエージェントは、上記対応付け更新に応じて、上記移動ノードのホームアドレスに関連した上記サービスレベル識別子を設定することを特徴とする請求項１記載の電気通信システム。
【請求項３】
上記サービスレベル識別子の指示は、上記インターネットパケットのヘッダ内のデータフィールドの値によって提供されることを特徴とする請求項１又は２記載の電気通信システム。
【請求項４】
上記サービスレベル識別子は、インターネットプロトコルバージョン４インターネットパケットのタイプオブサービスフィールド内の予備のビットによって提供されることを特徴とする請求項１又は２記載の電気通信システム。
【請求項５】
上記サービスレベル識別子は、インターネットプロトコルバージョン４インターネットパケットのDiffservフィールド内の予備のビットによって提供されることを特徴とする請求項１又は２記載の電気通信システム。
【請求項６】
上記サービスレベル識別子は、インターネットプロトコルバージョン６インターネットパケットのトラヒックオブジェクトクラスフィールド内の予備のビットによって提供されることを特徴とする請求項１又は２記載の電気通信システム。
【請求項７】
上記ホームエージェントは、上記移動ノードのホームアドレスに関連した上記サービスレベル識別子を保存するプロファイルキャッシュを維持することを特徴とする請求項１乃至６いずれか１項記載の電気通信システム。
【請求項８】
上記ホームエージェントは、上記サービスレベル識別子によって表される要求優先度を、上記ホームアドレスに関連してプリセットされた優先度と比較し、該要求優先度が、上記プリセットされた優先度を超えていない場合、該要求優先度に基づいて、上記インターネットパケットを処理することを特徴とする請求項７記載の電気通信システム。
【請求項９】
上記サービスレベル識別子は、ＵＤＰインターネットプロトコル及びＴＣＰインターネットプロトコルの少なくとも１つの表現を含むことを特徴とする請求項１乃至８いずれか１項記載の電気通信システム。
【請求項１０】
インターネットプロトコルを用いて、通信セッションを移動ノードに提供する電気通信方法において、
上記移動ノードが第１のパケット無線ネットワークに加入するとき、該第１のパケット無線ネットワークによって、該移動ノードに／からインターネットパケットを通信するステップと、
上記移動ノードが第２のパケット無線ネットワークに加入するとき、該第２のパケット無線ネットワークによって、該移動ノードに／からインターネットパケットを通信するステップと、
上記第１及び第２のパケット無線ネットワークの一方から、該第１及び第２のパケット無線ネットワークの他方に加入を変更するときに、他のノードに／から通信される他のインターネットパケットに対する、該移動ノードに／から通信されるインターネットパケットに与えられる要求優先度を表すサービスレベル識別子を生成するステップと、
上記第１及び第２のパケット無線ネットワークの一方から、該第１及び第２のパケット無線ネットワークの他方に加入を変更するときに、該移動ノードの気付アドレスを提供する対応付け更新インターネットパケットを生成するステップと、
上記サービスレベル識別子の指示を、上記対応付け更新インターネットパケットに含ませるステップと、
上記対応付け更新インターネットパケットを、上記移動ノードのホームエージェントに通信するステップと、
上記ホームエージェントを用い、上記対応付け更新に応じて上記サービスレベル識別子を識別するステップと、
上記サービスレベル識別子によって表される要求優先度に基づいて、上記対応付け更新を処理する優先度を判定するステップとを有する電気通信方法。
【請求項１１】
上記移動ノードのホームアドレスに関連した上記サービスレベル識別子を設定するステップを更に有する請求項１０記載の電気通信方法。
【請求項１２】
上記サービスレベル識別子の指示は、上記インターネットパケットのヘッダ内のデータフィールドの値によって提供されることを特徴とする請求項１０又は１１記載の電気通信方法。
【請求項１３】
上記サービスレベル識別子は、インターネットプロトコルバージョン４インターネットパケットのタイプオブサービスフィールド内の予備のビットによって提供されることを特徴とする請求項１０又は１１記載の電気通信方法。
【請求項１４】
上記サービスレベル識別子は、インターネットプロトコルバージョン４インターネットパケットのDiffservフィールド内の予備のビットによって提供されることを特徴とする請求項１０又は１１記載の電気通信方法。
【請求項１５】
上記サービスレベル識別子は、インターネットプロトコルバージョン６インターネットパケットのトラヒックオブジェクトクラスフィールド内の予備のビットによって提供されることを特徴とする請求項１０又は１１記載の電気通信方法。
【請求項１６】
上記移動ノードのホームアドレスに関連した上記サービスレベル識別子を保存する、上記ホームエージェント内のプロファイルキャッシュを維持するステップを更に有する請求項１０乃至１５いずれか１項記載の電気通信方法。
【請求項１７】
上記サービスレベル識別子によって表される要求優先度を、上記ホームアドレスに関連してプリセットされた優先度と比較し、該要求優先度が、上記プリセットされた優先度を超えていない場合、該要求優先度に基づいて、上記インターネットパケットを処理するステップを更に有する請求項１６記載の電気通信方法。
【請求項１８】
上記サービスレベル識別子を生成するステップは、ＵＤＰインターネットプロトコル及びＴＣＰインターネットプロトコルの少なくとも１つの表現を生成するステップを含むことを特徴とする請求項１０乃至１７いずれか１項記載の電気通信方法。
【請求項１９】
電気通信システムの一部を構成するホームエージェントにおいて、
移動ノードからの、要求優先度を表すサービスレベル識別子を含む対応付け更新の受信に応じて、該サービスレベル識別子を識別し、
上記サービスレベル識別子によって表される要求優先度に基づいて、上記移動ノードに／からインターネットパケットを通信するホームエージェント。
【請求項２０】
電気通信システムで動作する移動ノードにおいて、
第１のパケット無線ネットワーク及び第２のパケット無線ネットワークの一方から、該第１のパケット無線ネットワーク及び第２のパケット無線ネットワークの他方への加入の変更に応じて、他のノードに／から通信される他のインターネットパケットに対する、当該移動ノードに／から通信されるインターネットパケットに与えられる要求優先度を表すサービスレベル識別子を生成し、
上記第１及び第２のパケット無線ネットワークの一方から、該第１及び第２のパケット無線ネットワークの他方に加入を変更するときに、当該移動ノードの気付アドレスを提供する対応付け更新インターネットパケットを生成し、
上記サービスレベル識別子の指示を、上記対応付け更新インターネットパケットに含ませ、
対応付け更新インターネットパケットを、当該移動ノードのホームエージェントに通信する移動ノード。
【請求項２１】
インターネットプロトコルを用いて、通信セッションを移動ノードに提供する電気通信装置において、
上記移動ノードが第１のパケット無線ネットワークに加入するときに、該第１のパケット無線ネットワークによって、該移動ノードに／からインターネットパケットを通信する第１の通信手段と、
上記移動ノードが第２のパケット無線ネットワークに加入するときに、該第２のパケット無線ネットワークによって、該移動ノードに／からインターネットパケットを通信する第２の通信手段と、
上記第１及び第２のパケット無線ネットワークの一方から、該第１及び第２のパケット無線ネットワークの他方に加入を変更するときに、他のノードに／から通信される他のインターネットパケットに対する、該移動ノードに／から通信されるインターネットパケットに与えられる要求優先度を表すサービスレベル識別子を生成するサービスレベル識別子生成手段と、
上記第１及び第２のパケット無線ネットワークの一方から、該第１及び第２のパケット無線ネットワークの他方に加入を変更するとき、該移動ノードの気付アドレスを提供する対応付け更新インターネットパケットを生成する対応付け更新インターネットパケット生成手段と、
上記サービスレベル識別子の指示を、上記対応付け更新インターネットパケットに含ませる指示手段と、
上記対応付け更新インターネットパケットを、上記移動ノードのホームエージェントに通信する対応付け更新インターネットパケット通信手段と、
ホームエージェントを用い、上記対応付け更新に応じて上記サービスレベル識別子を識別する識別手段と、
上記サービスレベル識別子によって表される要求優先度に基づいて、上記対応付け更新を処理する優先度を判定する優先度判定手段とを備える電気通信装置。
【手続補正２】
【補正対象書類名】明細書
【補正対象項目名】０００６
【補正方法】変更
【補正の内容】
【０００６】
本発明は、インターネットプロトコルを用いて、通信セッションの機能を移動ノードに提供する電気通信システムを提供する。電気通信システムは、移動ノードが、当該第１のパケット無線ネットワークに加入するときに、通信セッションを提供するためのインターネットパケットを、移動ノードに／から通信する第１のパケット無線ネットワークと、移動ノードが、当該第２のパケット無線ネットワークに加入するときに、通信セッションを提供するためのインターネットパケットを、移動ノードに／から通信する第２のパケット無線ネットワークとを備える。移動ノードは、第１及び第２のパケット無線ネットワークの一方から、第１及び第２のパケット無線ネットワークの他方に加入を変更するときに、他のノードに／から通信される他のインターネットパケットに対する、当該移動ノードに／から通信するインターネットパケットに与えられる要求優先度を表すサービスレベル識別子を生成する。更に、移動ノードは、第１及び第２のパケット無線ネットワークの一方から、第１及び第２のパケット無線ネットワークの他方に加入を変更するときに、当該移動ノードの気付アドレスを提供する対応付け更新インターネットパケットを生成し、サービスレベル識別子の指示を、対応付け更新インターネットパケットに含ませる。更に、移動ノードは、対応付け更新インターネットパケットを、当該移動ノードのホームエージェントに通信し、ホームエージェントは、対応付け更新に応じて、サービスレベル識別子を識別し、サービスレベル識別子によって表される要求優先度に基づいて、対応付け更新を処理する優先度を判定する。
【手続補正３】
【補正対象書類名】明細書
【補正対象項目名】０００７
【補正方法】変更
【補正の内容】
【０００７】
本発明の実施の形態は、移動ノードが１つのネットワークから他のネットワークに加入を切り換えるときに、移動ノードに／から通信されるインターネットプロトコルパケットを、移動ノードによって要求される優先度に応じて差別化する機能を提供する。ホームエージェントは、対応付け更新をサービスレベル識別子に提供することによって、要求サービスのレベルに基づいて、移動ノードに／からのインターネットパケットの通信に優先順位を付けることができる。これにより、電気通信システムは、データ伝送の優先度が高い移動ノード実行アプリケーションにおいて、データ伝送の優先度が低い移動ノード実行アプリケーションのネットワークリソースを使用することによって、データ通信の中断又は遅延が生じる可能性を低減し、ネットワークリソースの使用効率を高めることができる。
【手続補正４】
【補正対象書類名】明細書
【補正対象項目名】０００８
【補正方法】変更
【補正の内容】
【０００８】
電気通信システムの一実施の形態においては、一旦、対応付け更新インターネットパケットが移動ノードによって発行されると、ホームエージェントは、サービスレベル識別子によって表される要求優先度に基づいて、対応付け更新処理を実行する。電気通信システムは、要求優先度に基づいて対応付け更新処理を実行することによって、相対的優先度に基づいてネットワークリソースを使用でき、ホームエージェントが対応付け更新処理を実行する順序は、サービスレベル識別子によって表された優先度に基づいて決定される。１つのネットワークから他のネットワークに移動する、データ伝送の優先度が高い移動ノード実行アプリケーションでは、ネットワークへの対応付け更新が優先されるため、データ通信の中断又は遅延が生じる可能性が低減され、一方、データ伝送の優先度が低い移動ノード実行アプリケーションの対応付け更新は、より低い優先度に基づいて実行される。
【手続補正５】
【補正対象書類名】明細書
【補正対象項目名】０００９
【補正方法】変更
【補正の内容】
【０００９】
幾つかの具体例では、ホームエージェントは、対応付け更新に応じて、移動ノードのホームアドレスと１対１の関係でサービスレベル識別子を設定してもよい。そして、ホームエージェントは、サービスレベル識別子の指示及び／又は他のモバイル機能に基づいて、対応付け更新の処理を差別化できる。